(57)【要約】【課題】筆記具の先端部を見易くかつ目立たせて展示することができる筆記具用什器を提供する。【解決手段】筆記具用什器１は、上面にて光を反射する第１の反射板２１と、上面にて光を反射し、第１の反射板２１の上方に所定の間隔をもって平行に配置される第２の反射板２２と、第２の反射板２２の上方に所定の間隔をもって平行に配置される透明板３とを備える。第２の反射板２２は、上面から下面に貫通し、筆記具Ｐの先端部が挿入される複数の孔２２Ｆ１を有する。透明板３は、上面から下面に貫通し、前記孔２２Ｆ１と対応する位置に形成され、筆記具Ｐが挿入される複数の孔３Ｋ１を有する。【選択図】図１０
2014046078.tif 000002
【特許請求の範囲】
【請求項１】
筆記具を展示するための筆記具用什器であって、
上面にて光を反射する第１の反射板と、上面にて光を反射し、前記第１の反射板の上方に所定の間隔をもって平行に配置される第２の反射板と、前記第２の反射板の上方に所定の間隔をもって平行に配置される透明板とを備え、
前記第２の反射板は、上面から下面に貫通する、前記筆記具が挿入される複数の孔を有し、
前記透明板は、上面から下面に貫通すると共に、前記第２の反射板の前記孔と対応する位置に形成され、前記筆記具が挿入される複数の孔を有することを特徴とする筆記具用什器。
【請求項２】
前記第１の反射板および前記第２の反射板は、ボール紙の上面にアルミ箔が貼着され形成されることを特徴とする請求項１に記載された筆記具用什器。
【請求項３】
前記透明板は、透明な合成樹脂製であることを特徴とする請求項１または請求項２に記載された筆記具用什器。
【請求項４】
前記第１の反射板は、左右両側に設けられた２つのスリットを有する上面部と、前記上面部の左側に設けられた左側面部と、前記上面部の右側に設けられた右側面部と、前記左側面部の左側に設けられた左底面部と、左底面部の左側に設けられた左立上部と、前記左立上部の左側に設けられた左側突出部と、前記右側面部の右側に設けられた右底面部と、右底面部の右側に設けられた右立上部と、前記右立上部の右側に設けられた右側突出部とを有し、
前記左側突出部が、前記上面部に形成された前記２つのスリットのうち、左側に設けられたスリットに対して、前記上面部の下面側から挿入され、当該スリットから僅かに上面部の上面から突出させ、
前記右側突出部が、前記上面部に形成された前記２つのスリットのうち、右側に設けられたスリットに対して、前記上面部の下面側から挿入され、当該スリットから僅かに上面部の上面から突出させ、
前記第２の反射板の下面が前記左側突出部および右側突出部と当接することによって、前記第２の反射板が前記第１の反射板の上方に所定の間隔をもって平行に配置されることを特徴とする請求項１乃至請求項３のいずれかに記載された筆記具用什器。
【発明の詳細な説明】
【技術分野】
【０００１】
本発明は、筆記具を展示するための筆記具用什器に関し、特に什器に収容される筆記具の端部を見易く展示する展示用什器に関する。
【背景技術】
【０００２】
従来から、筆記具を展示するための筆記具用什器が知られており、その一例として、特許文献１に記載された筆記具用什器について、図１１に基づいて説明する。
図１１に示すように、筆記具用什器１００にあっては、上方の筆記具保持部１０２として、前面下方に向けて傾斜した保持板１０１に楕円形の透孔が穿設され、筆記具の上端部を保持するように形成されている。
また下方の筆記具保持部１０３として、上方の筆記具保持部１０２の下方に配した水平の保持板１０４に透孔が穿設され、筆記具の下端部を保持するように形成されている。この下方の筆記具保持部１０３は、小径部１０３ａと大径部１０３ｂとを連続させた透孔として構成されている。
【０００３】
このように構成されているため、消費者・需要者が筆記具を手に取り、デザイン・標章の確認や、試し書き等をしてから再び元の位置に戻したときに、筆記具の先端が下方の筆記具保持部の小径部に入った後、必ず大径部に移動させることができる。そのため、この筆記具用什器１００にあっては、筆記具の先端部を傷つけることなく、常に垂直に直立するように、展示することができる。
【先行技術文献】
【特許文献】
【０００４】
【特許文献１】実用新案登録第３１５１３６５号公報
【発明の概要】
【発明が解決しようとする課題】
【０００５】
ところで、特許文献１には、傾斜した保持板は透明とすることが記載されていることから、特許文献１記載の展示用什器にあっては、筆記具の軸筒部分について見易く展示することができる。
しかしながら、特許文献１に記載された展示用什器における水平の保持板が透明板で形成されていない場合には、筆記具の先端部が見えず、特に筆記具の先端部にデザイン的な特徴がある場合に有効な展示ができないという技術的課題があった。
また、特許文献１の水平の保持板を透明板とした場合であっても、消費者・需要者は、一般的には筆記具用什器の斜め上方から筆記具を見ているので、傾斜した保持板、水平の保持板が重なり合い、筆記具の先端部が見え難く、筆記具の先端部の有効な展示ができないという技術的課題があった。
【０００６】
本発明は、上記技術的課題を解決するためになされたものであり、筆記具の先端部を見易くかつ目立たせて展示することができる筆記具用什器を提供することを目的とする。
【課題を解決するための手段】
【０００７】
上記技術的課題を解決するためになされた本発明にかかる筆記具用什器は、筆記具を展示するための筆記具用什器であって、上面にて光を反射する第１の反射板と、上面にて光を反射し、前記第１の反射板の上方に所定の間隔をもって平行に配置される第２の反射板と、前記第２の反射板の上方に所定の間隔をもって平行に配置される透明板とを備え、前記第２の反射板は、上面から下面に貫通する、前記筆記具が挿入される複数の孔を有し、前記透明板は、上面から下面に貫通すると共に、前記第２の反射板の前記孔と対応する位置に形成され、前記筆記具が挿入される複数の孔を有することを特徴としている。
【０００８】
このような構成によれば、筆記具用什器は、透明板に形成された複数の孔を介して第２の反射板に形成された複数の孔に筆記具の先端部を挿入することによって、筆記具を立て掛けた状態（直立状態）で展示することができる。なお、この状態において、筆記具の先端（下端面）は、第１の反射板に当接している。
また、第１の反射板および第２の反射板の上面は光を反射するので、筆記具用什器の斜め上方から筆記具を見ている消費者・需要者は、透明板を介して筆記具の先端部を直接見ることができるだけでなく、反射板を介して筆記具の先端部を間接的に見ることができる。
したがって、本発明によれば、筆記具の先端部を目立たせて、更に見やすく、筆記具を好適に展示することができる。
【０００９】
また、前記第１の反射板および前記第２の反射板は、ボール紙の上面にアルミ箔が貼着され形成されることが望ましい。
このような構成によれば、第１の反射板および第２の反射板を、ボール紙とアルミ箔とを貼り合わせて形成することができるので、第１の反射板および第２の反射板の材料として他の材料を採用した場合と比較して筆記具用什器の製造コストを低減することができる。
【００１０】
また、前記透明板は、透明な合成樹脂製であることが望ましい。
このような構成によれば、透明板の材料として他の材料を採用した場合と比較して筆記具用什器の製造コストを低減することができる。
【００１１】
また、前記第１の反射板は、左右両側に設けられた２つのスリットを有する上面部と、前記上面部の左側に設けられた左側面部と、前記上面部の右側に設けられた右側面部と、前記左側面部の左側に設けられた左底面部と、左底面部の左側に設けられた左立上部と、前記左立上部の左側に設けられた左側突出部と、前記右側面部の右側に設けられた右底面部と、右底面部の右側に設けられた右立上部と、前記右立上部の右側に設けられた右側突出部とを有し、前記左側突出部が、前記上面部に形成された前記２つのスリットのうち、左側に設けられたスリットに対して、前記上面部の下面側から挿入され、当該スリットから僅かに上面部の上面から突出させ、前記右側突出部が、前記上面部に形成された前記２つのスリットのうち、右側に設けられたスリットに対して、前記上面部の下面側から挿入され、当該スリットから僅かに上面部の上面から突出させ、前記第２の反射板の下面が前記左側突出部および右側突出部と当接することによって、前記第２の反射板が前記第１の反射板の上方に所定の間隔をもって平行に配置されることが望ましい。
【００１２】
このような構成によれば、簡素な構成で確実に第２の反射板を第１の反射板の上方に所定の間隔をもって平行に配置することができる。
尚、第１の反射板に形成された左側突出部、右側突出部によって、第２の反射板を第１の反射板の上方に所定の間隔をもって配置することができるため、安価に製造することができる。
【発明の効果】
【００１３】
本発明によれば、筆記具の先端部を見易くかつ目立たせて展示することができる筆記具用什器を得ることができる。
【図面の簡単な説明】
【００１４】
【図１】図１は、本発明の一実施形態にかかる筆記具用什器を示す斜視図である。
【図２】図２は、反射板を示す斜視図である。
【図３】図３は、第１の反射板を示す展開図である。
【図４】図４は、第１の反射板を上面側から見た図である。
【図５】図５は、第１の反射板を下面側から見た図である。
【図６】図６は、第２の反射板を示す展開図である。
【図７】図７は、反射板を下面側から見た図である。
【図８】図８は、透明板を示す展開図である。
【図９】図９は、反射板および透明板を上面側から見た図である。
【図１０】図１０は、筆記具用什器に筆記具を立て掛けた状態を示す断面模式図である。
【図１１】図１１は、従来の筆記具用什器を示す斜視図である。
【発明を実施するための形態】
【００１５】
以下、本発明の一実施形態にかかる筆記具用什器について、図１乃至図１０に基づいて説明する。
筆記具用什器１は、図１に示すように、筆記具Ｐを立て掛けた状態で展示するものであり、上面にて光を反射する反射板２と、前記反射板２の上方に所定の間隔をもって（あけて）、前記反射板２と平行に配置される透明板３と、前記反射板２および前記透明板３を収納するケース４とを備えている。
尚、このケース４には、反射板２および前記透明板３を収納する収容部４ａと、この収容部４ａの後部側（背面側）に立設され、展示される筆記具名、筆記具の特徴等を表示する表示部５ｂとを備えている。
【００１６】
前記反射板２は、図２に示すように、第１の反射板２１と、前記第１の反射板２１の上方に所定の間隔をもって（あけて）、平行に配置される第２の反射板２２とによって構成されている。
尚、図２においては、第２の反射板２２に形成された複数の孔２２Ｆ１を介して、第２の反射板２２の下方ｂに配置された第１の反射板２１を見ることができる。
【００１７】
また、前記第１の反射板２１および前記第２の反射板２２は、ボール紙の上面にアルミ箔を貼着して（貼り合わせて）形成され、その上面にて光を反射するように構成されている。
これによれば、前記第１の反射板２１および前記第２の反射板２２の材料として他の材料を採用した場合と比較して、前記筆記具用什器１の製造コストを低減することができる。
【００１８】
具体的には、前記第１の反射板２１は、図３に示すように、略矩形状の上面部２１Ａと、前記上面部２１Ａの左側に折れ線ＬＢを介して設けられた左側面部２１Ｂと、前記上面部２１Ａの右側に折れ線ＬＣを介して設けられた右側面部２１Ｃと、前記上面部２１Ａの図中下側に折れ線ＬＤを介して設けられた正面部２１Ｄと、前記上面部２１Ａの図中上側に折れ線ＬＥを介して設けられた背面部２１Ｅとを有している。
【００１９】
前記上面部２１Ａは、上下方向に沿って形成された２つのスリット２１Ａ１，２１Ａ２を有し、前記スリット２１Ａ１，２１Ａ２は、略中央部分に左右両側に設けられている。前記左側面部２１Ｂおよび前記右側面部２１Ｃは、前記上面部２１Ａを中心として左右対称となるように形成されている。
【００２０】
前記左側面部２１Ｂの左側には、折れ線ＬＢ１を介して左底面部２１Ｆが設けられ、更に左底面部２１Ｆの左側には、折れ線ＬＢ２を介して立上部２１Ｇが設けられている。
同様に、前記右側面部２１Ｃの右側には、折れ線ＬＣ１を介して右底面部２１Ｈが設けられ、更に右底面部２１Ｈの右側には、折れ線ＬＣ２を介して立上部２１Ｊが設けられている。
【００２１】
前記折れ線ＬＢ１，ＬＣ１上には、スリット２１Ｂ１，２１Ｃ１が形成されている。また、前記立上部２１Ｇの左側端部には、突出部２１Ｇ１が形成され、また前記立上部２１Ｊの右側端部には、突出部２１Ｊ１が形成されている。
【００２２】
なお、前記左側面部２１Ｂの幅（折れ線ＬＢから前記折れ線ＬＢ１までの幅）ＷＢ１と、前記立上部２１Ｇの幅（前記折れ線ＬＢ２から前記突出部２１Ｇ１を含まない図中左端までの幅）ＷＢ２と、前記右側面部２１Ｃの幅（前記折れ線ＬＣから前記折れ線ＬＣ１までの幅）ＷＣ１と、前記立上部２１Ｊの幅（前記折れ線ＬＣ２から前記突出部２１Ｊ１を含まない図中右端までの幅）ＷＣ２と、前記正面部２１Ｄの幅（前記折れ線ＬＤから前記正面部２１Ｄの図中下端までの幅）ＷＤと、前記背面部２１Ｅの幅（前記折れ線ＬＥから前記背面部２１Ｅの図中上端までの幅）ＷＥとは同一である。
このように、上記幅寸法を同一にすることにより、前記上面部２１Ａを所定の高さで、しかも水平に形成することができる。
【００２３】
さらに、図３に示すように、前記折れ線ＬＢ，ＬＣ上には、切れ目ＬＢＳ，ＬＣＳが形成されている。切れ目ＬＢＳ，ＬＣＳを形成することによって、図４に示すように、前記上面部２１Ａには、前記折れ線ＬＢ，ＬＣを折り曲げた際に両側に向かって矩形状に突出する突出部２１Ａ３，２１Ａ４が形成される。
【００２４】
そして、前記第１の反射板２１は、図４および図５に示すように、全ての折れ線ＬＢ，ＬＢ１，ＬＢ２，ＬＣ，ＬＣ１，ＬＣ２，ＬＤ，ＬＥを山折りにするとともに、前記突出部２１Ｇ１を前記スリット２１Ａ１に前記上面部２１Ａの下面側から挿入し、前記突出部２１Ｊ１を前記スリット２１Ａ２に前記上面部２１Ａの下面側から挿入することによって組み立てられる。
この際、前記突出部２１Ｇ１，２１Ｊ１は、前記スリット２１Ａ１，２１Ａ２から僅かに突出している。
【００２５】
前記第２の反射板２２は、図６に示すように、略矩形状の上面部２２Ｆと、前記上面部２２Ｆの左側に折れ線ＬＧを介して設けられた左側面部２２Ｇと、前記上面部２２Ｆの右側に折れ線ＬＨを介して設けられた右側面部２２Ｈと、前記上面部２２Ｆの図中下側に折れ線ＬＪを介して設けられた正面部２２Ｊと、前記上面部２２Ｆの図中上側に折れ線ＬＫを介して設けられた背面部２２Ｋとを有している。
【００２６】
前記上面部２２Ｆには、上面から下面に貫通するように形成された、複数の楕円形の孔２２Ｆ１が形成されている。この複数の楕円形の孔２２Ｆ１に、前記筆記具Ｐの先端部が挿入される。
前記左側面部２２Ｇおよび前記右側面部２２Ｈは、前記上面部２２Ｆを中心として左右対称となるように形成されている。
【００２７】
また、前記左側面部２２Ｇの上面部２２Ｆ側には、スリット２２Ｇ１が形成され、前記左側面部２２Ｇの上面部２２Ｆとは反対側の端部には、突出部２２Ｇ２が形成されている。
また、前記右側面部２２Ｈの上面部２２Ｆ側には、スリット２２Ｈ１が形成され、前記右側面部２２Ｈの上面部２２Ｆとは反対側の端部には、突出部２２Ｈ２が形成されている。
【００２８】
そして、前記第２の反射板２２は、図７に示すように、全ての折れ線ＬＧ，ＬＨ，ＬＪ，ＬＫを山折りにするとともに、前記突出部２２Ｇ２を前記第１の反射板２１の前記スリット２１Ｂ１に挿入し、前記突出部２２Ｈ２を前記第１の反射板２１の前記スリット２１Ｃ１に挿入することによって、前記第１の反射板２１と一体的に組み立てられて前記反射板２を構成する。
【００２９】
なお、前記第１の反射板２１と、前記第２の反射板２２とを組み立てた状態において、前記突出部２１Ａ３は、前記スリット２２Ｇ１を介して露出し、前記突出部２１Ａ４は、前記スリット２２Ｈ１を介して露出している。
また、前記第２の反射板２２の下面は、前記第１の反射板２１の前記スリット２１Ａ１，２１Ａ２から僅かに突出する前記突出部２１Ｇ１，２１Ｊ１と当接する。これによって、前記第２の反射板２２は、前記第１の反射板２１の上方に所定の間隔をもって平行に配置されることになる。
【００３０】
前記透明板３は、図８に示すように、略矩形状の上面部３Ｋと、前記上面部３Ｋの左側に折れ線ＬＬを介して設けられた左側面部３Ｌと、前記上面部３Ｋの右側に折れ線ＬＭを介して設けられた右側面部３Ｍと、前記上面部３Ｋの図中下側に折れ線ＬＮを介して設けられた正面部３Ｎと、前記上面部３Ｋの図中上側に折れ線ＬＯを介して設けられた背面部３Ｏとを有している。
また、前記透明板３は、透明な合成樹脂製で形成されている。これによれば、前記透明板３の材料として他の材料を採用した場合と比較して前記筆記具用什器１の製造コストを低減することができる。
【００３１】
前記上面部３Ｋには、上面から下面に貫通するように複数の楕円形の孔３Ｋ１が形成されている。この複数の楕円形の孔３Ｋ１は、前記第２の反射板２２に形成された前記複数の孔２２Ｆ１と対応する位置に形成され、前記筆記具Ｐは、楕円形の孔３Ｋ１を介して孔２２Ｆ１に挿入できるように構成されている。
前記左側面部３Ｌおよび前記右側面部３Ｍは、前記上面部３Ｋを中心として左右対称となるように形成されている。
【００３２】
前記左側面部３Ｌにはスリット３Ｌ１が形成され、前記上面部３Ｋ側と反対側に折れ線ＬＬ１を介して、左底面部３Ｐが形成されている。
同様に、前記右側面部３Ｍにはスリット３Ｍ１が形成され、前記上面部３Ｋ側と反対側に折れ線ＬＭ１を介して、右底面部３Ｑが形成されている。
また、前記正面部３Ｎは、折れ線ＬＮ１を介して、中央底面部３Ｒが形成されている。
【００３３】
そして、前記透明板３は、図９に示すように、全ての折れ線ＬＬ，ＬＭ，ＬＮ，ＬＯ，ＬＬ１，ＬＭ１，ＬＮ１を山折りにするとともに、第２の反射板２２のスリット２２Ｇ１から露出した、前記第１の反射板２１の突出部２１Ａ３を、前記スリット３Ｌ１に挿入する。
同様に、第２の反射板２２のスリット２２Ｈ１から露出した、前記第１の反射板２１の前記突出部２１Ａ４を前記スリット３Ｍ１に挿入する。
【００３４】
これにより、前記反射板２と前記透明板３は、一体的に組み立てられる。このとき、前記透明板３は、前記反射板２の上方に所定の間隔をもって（あけて）平行に配置される。
なお、前記反射板２と、前記透明板３とを組み立てた状態において、前記透明板３の折れ線ＬＬ１，ＬＭ１，ＬＮ１よりも外側に位置する部分、即ち左底面部３Ｐ、右底面部３Ｑ、中央底面部３Ｒは、前記反射板２の下面側（底面側）に位置し、前記透明板３は、前記反射板２を包み込むようにして一体的に組み立てられる。
【００３５】
このようにして組み立てられた前記反射板２および前記透明板３は、図１に示すように、ケース４の内部に収納され、前記筆記具用什器１とされる。
前記筆記具用什器１は、図１０に示すように、前記透明板３に形成された前記複数の孔３Ｋ１を介して前記第２の反射板２２に形成された前記複数の孔２２Ｆ１に前記筆記具Ｐの先端部を挿入することによって、前記筆記具Ｐを立て掛けた状態で展示することができる。
この状態において、前記筆記具Ｐの先端は、前記第１の反射板２１の上面に当接している。尚、図１０は、前記筆記具用什器１を側面側から見た断面を示す模式図である。
【００３６】
また、前記第１の反射板２１および前記第２の反射板２２の上面は光を反射するので、前記筆記具用什器１の斜め上方から前記筆記具Ｐを見ている消費者・需要者は、前記透明板３を介して前記筆記具Ｐの先端部を直接見ることができるだけでなく、前記反射板２を介して前記筆記具Ｐの先端部を間接的に見ることができる。具体的には、消費者・需要者は、前記第２の反射板２２を介して前記筆記具Ｐの先端部を見ることができる（図中矢印Ａ１）。
【００３７】
さらに、前記第１の反射板２１および前記第２の反射板２２の間隔をｈとし、前記第２の反射板２２の前記複数の孔２２Ｆ１の間隔をｓとする。例えば、本実施形態では、間隔ｈおよび間隔ｓは、同じ長さになるように設定されている。
このように、第１の反射板２１および前記第２の反射板２２の間隔ｈ、前記第２の反射板２２の前記複数の孔２２Ｆ１の間隔ｓを所定の寸法になすことにより、消費者・需要者は、前記第１の反射板２１および筆記具Ｐが収容されていない孔２２Ｆ１を介して、前記筆記具Ｐの先端部を見ることができる（図中矢印Ａ２）。
したがって、この筆記具用什器１によれば、前記筆記具Ｐの先端部を目立たせて、しかも見やすく展示することができ、前記筆記具Ｐを好適に展示することができる。
【００３８】
尚、前記実施形態では、前記第１の反射板２１および前記第２の反射板２２は、ボール紙の上面にアルミ箔を貼り合わせて形成されていたが、他の材料を採用してもよい。
例えば、ボール紙の代わりに合成樹脂や金属などを採用してもよく、またボール紙に貼着されるアルミ箔の代わりに、金属の基体の上面に、鏡面加工等を施して反射面を形成しても良い。即ち、前記第１の反射板および前記第２の反射板は、上面にて光を反射できるものであれば良い。
また、前記実施形態では、前記透明板３として、透明な合成樹脂製を例にとって説明したが、透明材料であればよく、ガラスなどの他の材料を採用してもよい。
【００３９】
また、前記実施形態では、前記突出部２１Ｇ１及び前記突出部２１Ｊ１とにより、前記第１の反射板２１の上方に前記第２の反射板２２を所定の間隔をもって、平行に配置したが、前記第２の反射板２２が、前記第１の反射板２１の上方に所定の間隔を空けて平行に配置される構成であれば良く、別部材として、スペーサ等を用いる構成を採用しても良い。
【符号の説明】
【００４０】
１                  筆記具用什器
２                  反射板
２１                第１の反射板
２１Ａ              上面部
２１Ｂ              左側面部
２１Ｃ              右側面部
２１Ｄ              正面部
２１Ｅ              背面部
２１Ｆ              左底面部
２１Ｇ              左立上部
２１Ｈ              右底面部
２１Ｊ              右立上部
２１Ａ１，２１Ａ２  スリット
２１Ａ３，２１Ａ４  突出部
２１Ｂ１，２１Ｃ１  スリット
２１Ｇ１            左突出部
２１Ｊ１            右突出部
２２                第２の反射板
２２Ｆ              上面部
２２Ｇ              左側面部
２２Ｈ              右側面部
２２Ｊ              正面部
２２Ｋ              背面部
２２Ｆ１            孔
２２Ｇ１，２２Ｈ１  スリット
２２Ｇ２，２２Ｈ２  突出部
３                  透明板
３Ｋ                上面部
３Ｌ                左側面部
３Ｍ                右側面部
３Ｎ                正面部
３Ｏ                背面部
３Ｋ１              孔
３Ｌ１，３Ｍ１      スリット
４                  ケース
Ｐ                  筆記具
【図１】
2014046078.tif 000003
【図２】
2014046078.tif 000004
【図３】
2014046078.tif 000005
【図４】
2014046078.tif 000006
【図５】
2014046078.tif 000007
【図６】
2014046078.tif 000008
【図７】
2014046078.tif 000009
【図８】
2014046078.tif 000010
【図９】
2014046078.tif 000011
【図１０】
2014046078.tif 000012
【図１１】
2014046078.tif 000013